(57)【要約】  廃棄物処分器具が頂端部に開口部を備えた容器を有し、容器は、開口部を通って接近可能な内側空所を画定している。袋の閉鎖端部が内側空所内に延びる状態で、開口部のところに設けられた袋インターフェースが容器の開口部のところで開かれている袋を保持するようになっている。１対のドアが開口部を通る出入り口を開閉するよう容器に回動可能に連結され、ドアは、これらドア相互間を通る袋の一部分を封止するようになっており、ドアは、ドアが開口部を通る出入り口を閉じるようになった閉じ位置からドアを回動させて内側空所から遠ざけた第１の回動位置に回動可能であり、両方のドアの一方または両方は、内側空所に向かって第２の回動位置まで回動可能である。作動機構体がドアのうちの少なくとも一方を閉じ位置に付勢するようドアのうちの少なくとも一方に作動的に連結されている。
2022501288.tif 000002
【特許請求の範囲】
【請求項１】
廃棄物処分器具であって、
頂端部に開口部を備えた容器を有し、前記容器は、前記開口部を通って接近可能な内側空所を画定し、前記容器は、前記開口部のところに設けられていて、袋を該袋の閉鎖端部が前記内側空所内に延びる状態で前記容器の前記開口部のところで開かれた状態に保持するようになった袋インターフェースを有し、
前記開口部を通る出入り口を開閉するよう前記容器に回動可能に連結された１対のドアを有し、前記ドアは、該ドア相互間を通る前記袋の一部分を閉鎖するようになっており、前記ドアは、前記ドアが前記開口部を通る前記出入り口を閉じるようになった閉じ位置から前記ドアを回動させて前記内側空所から遠ざけた第１の回動位置に回動可能であり、前記ドアのうちの少なくとも一方は、前記内側空所に向かって第２の回動位置まで回動可能であり、
前記ドアのうちの前記少なくとも一方を前記閉じ位置に付勢するよう前記ドアのうちの少なくとも一方に作動的に連結された作動機構体を有する、廃棄物処分器具。
【請求項２】
前記ドアを露出させまたは隠すよう前記容器に回動可能に取り付けられた蓋をさらに有する、請求項１記載の廃棄物処分器具。
【請求項３】
前記作動機構体は、ユーザによって作動可能なペダルを有し、前記作動機構体は、前記蓋を開閉するよう前記ペダルおよび前記蓋とインターフェースするリンク組立体を含む、請求項３記載の廃棄物処分器具。
【請求項４】
前記リンク組立体は、前記ドアのうちの少なくとも一方が前記ペダルを押したときに前記第１の回動位置まで回動するのを阻止する、請求項３記載の廃棄物処分器具。
【請求項５】
前記リンク組立体は、前記内側空所内で全体として垂直方向に並進する第１のリンクを含み、前記第１のリンクは、前記蓋を変位させて前記開口部への出入り口を開くよう前記蓋に接触する頂部押圧端部を有する、請求項３または４記載の廃棄物処分器具。
【請求項６】
前記第１のリンクは、前記ペダルに回動可能に連結されている、請求項５記載の廃棄物処分器具。
【請求項７】
第２のリンクが回転自由度および並進自由度を提供する継手によって前記第１のリンクに連結され、前記第２のリンクは、前記ドアのうちの一方に回動可能に連結されている、請求項５または６記載の廃棄物処分器具。
【請求項８】
前記継手は、少なくとも１つの組をなすフォロアと案内スロットである、請求項７記載の廃棄物処分器具。
【請求項９】
前記第１のリンクは、前記蓋に接触する二叉端部を有する、請求項３〜８のうちいずれか一に記載の廃棄物処分器具。
【請求項１０】
少なくとも１つの付勢ユニットが前記リンク組立体を最も下方の位置に付勢して前記ドアを前記閉じ位置に保つ、請求項３〜９のうちいずれか一に記載の廃棄物処分器具。
【請求項１１】
前記容器は、上部分および底部分を有し、前記上部分は、前記容器の前記内側空所への接近が可能であるように前記底部分から隔てられている、請求項１〜１０のうちいずれか一に記載の廃棄物処分器具。
【請求項１２】
前記底部分は、袋のロールを小出しするカセットを受け入れるようになった少なくとも１つのカセットコンパートメントを画定している、請求項１１記載の廃棄物処分器具。
【請求項１３】
前記カセットのうちの少なくとも１つをさらに有する、請求項１２記載の廃棄物処分器具。
【請求項１４】
前記底部分は、前記コンパートメント内の前記カセットのための解除可能な連結部を有する、請求項１３記載の廃棄物処分器具。
【請求項１５】
前記開口部の周囲は、前記ドアのうちの一方が前記第２の回動位置に動くのを阻止する当接部を有する、請求項１〜１４のうちいずれか一に記載の廃棄物処分器具。
【請求項１６】
前記ドアのうちの一方を前記第１の回動位置から閉じ位置に向かって付勢する付勢部材をさらに有する、請求項１５記載の廃棄物処分器具。
【請求項１７】
前記インターフェースは、少なくとも１つのカラーである、請求項１〜１６のうちいずれか一に記載の廃棄物処分器具。
【請求項１８】
外方に向いた状態で前記少なくとも１つのカラーに設けられた少なくとも１つのフックを有する、請求項１７記載の廃棄物処分器具。
【請求項１９】
前記カラーのうちの２つが前記開口部の互いに反対側に設けられている、請求項１７または１８記載の廃棄物処分器具。
【請求項２０】
フィルムを小出しするカセットであって、
開口部、滑り軸受支持体および前記開口部と反対側に位置する変形可能な壁を備えたケーシングと、
前記滑り軸受支持体によって回転可能に支持されたシャフトと、
前記シャフト上に巻かれたフィルムのロールとを有し、前記フィルムのロールの自由端部は、前記開口部を通って小出し可能であり、
前記シャフト、前記滑り軸受支持体および前記変形可能な壁は、前記カセットに曲げ剛性をもたらすブレースを一緒になって形成し、
前記シャフトは、前記フィルムのロールを前記シャフトから小出しして前記カセットの前記曲げ剛性を減少させると、分離しまたは潰れる、カセット。
【発明の詳細な説明】
【技術分野】
【０００１】
本願は、廃棄物処分器具と併用される形式のフィルム小出しカセット、特に悪臭のある廃棄物、例えばおむつやリター（litter）の処分のためのフィルム小出しカセットおよび廃棄物処分器具に関するが、これらには限定されない。
【背景技術】
【０００２】
フィルム小出しカセットを備えた悪臭を抑えまたは閉じ込めるシステムを有する廃棄物処分器具が周知である。かかる廃棄物処分器具は、袋を有し、この袋は、典型的には、袋内の悪臭を閉じ込めるために所与の機構体によって封止される。米国特許第６，８１７，１６４号明細書（モフェット等（Mauffette et al.））および米国特許第７，４０６，８１４号明細書（モランド（Morand））は、かかる悪臭を閉じ込めるシステムを提案している。しかしながら、構造が簡単であり、しかもペダルによって開かれるというオプションを有することができる廃棄物処分器具を提供することが望ましい。
【先行技術文献】
【特許文献】
【０００３】
【特許文献１】米国特許第６，８１７，１６４号明細書
【特許文献２】米国特許第７，４０６，８１４号明細書
【発明の概要】
【発明が解決しようとする課題】
【０００４】
したがって、本開示内容（本発明）の目的は、新規な廃棄物処分器具を提供することにある。
【０００５】
したがって、本発明の目的は、廃棄物処分器具用の新規なフィルム小出しカセットを提供することにある。
【０００６】
本発明の別の目的は、フィルム小出しカセットと廃棄物処分器具の新規な組立体を提供することにある。
【課題を解決するための手段】
【０００７】
したがって、本発明の実施形態によれば、廃棄物処分器具が提供され、この廃棄物処分器具は、頂端部に開口部を備えた容器を有し、容器は、開口部を通って接近可能な内側空所を画定し、容器は、開口部のところに設けられていて、袋をこの袋の閉鎖端部が内側空所内に延びる状態で容器の開口部のところで開かれた状態に保持するようになった袋インターフェースを有し、廃棄物処分器具は、開口部を通る出入り口を開閉するよう容器に回動可能に連結された１対のドアをさらに有し、ドアは、これらドア相互間を通る袋の一部分を封止するようになっており、ドアは、ドアが開口部を通る出入り口を閉じるようになった閉じ位置からドアを回動させて内側空所から遠ざけた第１の回動位置に回動可能であり、ドアのうちの少なくとも一方は、内側空所に向かって第２の回動位置まで回動可能であり、廃棄物処分器具はさらに、ドアのうちの少なくとも一方を閉じ位置に付勢するようドアのうちの少なくとも一方に作動的に連結された作動機構体を有する。
【０００８】
さらに、実施形態によれば、例えば、蓋がドアを露出させまたは隠すよう容器に回動可能に取り付けられるのが良い。
【０００９】
さらにまた、実施形態によれば、例えば、作動機構体は、ユーザによって作動可能なペダルを有し、作動機構体は、蓋を開閉するようペダルおよび蓋とインターフェースするリンク組立体を含む。
【００１０】
さらにまた、実施形態によれば、例えば、リンク組立体は、ドアのうちの少なくとも一方がペダルを押したときに第１の回動位置まで回動するのを阻止する。
【００１１】
さらにまた、実施形態によれば、例えば、リンク組立体は、内側空所内で全体として垂直方向に並進する第１のリンクを含み、第１のリンクは、蓋を変位させて開口部への出入り口を開くよう蓋に接触する頂部押圧端部を有する。
【００１２】
さらにまた、実施形態によれば、例えば、第１のリンクは、ペダルに回動可能に連結されている。
【００１３】
さらにまた、実施形態によれば、例えば、第２のリンクが回転自由度および並進自由度を提供する継手によって第１のリンクに連結され、第２のリンクは、ドアのうちの一方に回動可能に連結されている。
【００１４】
さらにまた、実施形態によれば、例えば、継手は、少なくとも１つの組をなすフォロアと案内スロットである。
【００１５】
さらにまた、実施形態によれば、例えば、第１のリンクは、蓋に接触する二叉端部を有する。
【００１６】
さらにまた、実施形態によれば、例えば、少なくとも１つの付勢ユニットがリンク組立体を最も下方の位置に付勢してドアを閉じ位置に保つ。
【００１７】
さらにまた、実施形態によれば、例えば、容器は、上部分および底部分を有し、上部分は、容器の内側空所への接近が可能であるように底部分から隔てられている。
【００１８】
さらにまた、実施形態によれば、例えば、底部分は、袋のロールを小出しするカセットを受け入れるようになった少なくとも１つのカセットコンパートメントを画定している。
【００１９】
さらにまた、実施形態によれば、例えば、カセットのうちの少なくとも１つが存在する。
【００２０】
さらにまた、実施形態によれば、例えば、底部分は、コンパートメント内のカセットのための解除可能な連結部を有する。
【００２１】
さらにまた、実施形態によれば、例えば、開口部の周囲は、ドアのうちの一方が第２の回動位置に動くのを阻止する当接部を有する。
【００２２】
さらにまた、実施形態によれば、例えば、付勢部材がドアのうちの一方を第１の回動位置から閉じ位置に向かって付勢するのが良い。
【００２３】
さらにまた、実施形態によれば、例えば、インターフェースは、少なくとも１つのカラーである。
【００２４】
さらにまた、実施形態によれば、例えば、少なくとも１つのフックが外方に向いた状態で少なくとも１つのカラーに設けられている。
【００２５】
さらにまた、実施形態によれば、例えば、カラーのうちの２つが開口部の互いに反対側に設けられている。
【００２６】
本発明の別の実施形態によれば、フィルムを小出しするカセットであって、開口部、滑り軸受支持体および開口部と反対側に位置する変形可能な壁を備えたケーシングと、滑り軸受支持体によって回転可能に支持されたシャフトと、シャフト上に巻かれたフィルムのロールとを有するカセットが提供され、フィルムのロールの自由端部は、開口部を通って小出し可能であり、シャフト、滑り軸受支持体および変形可能な壁は、カセットに曲げ剛性をもたらすブレースを一緒になって形成し、シャフトは、フィルムのロールをシャフトから小出ししてカセットの曲げ剛性を減少させると、分離しまたは潰れる。
【図面の簡単な説明】
【００２７】
【図１】本発明の実施形態に係るフィルム小出しカセットと廃棄物処分器具の組立体の部分断面斜視図である。
【図２】切り取りメンブレンを備えた図１のフィルム小出しカセットの組立図である。
【図３】切り取りメンブレンが省かれた状態の図２のフィルム小出しカセットの斜視図である。
【図４】フィルムが突き出た状態の図２のフィルム小出しカセットの斜視図である。
【図５】袋交換形態にある図１の廃棄物処分器具の部分断面斜視図である。
【図６】廃棄物処分形態にある図１の廃棄物処分器具の部分断面斜視図である。
【図７】別の視点から見た図６の廃棄物処分器具の部分断面斜視図である。
【図８Ａ】さらに廃棄物処分ステップに沿う図６の廃棄物処分器具の部分断面斜視図である。
【図８Ｂ】図８Ａに示された廃棄物処分器具の拡大断面図である。
【図９】図１の廃棄物処分器具の作動機構体の分解組立図である。
【図１０】図１の廃棄物処分器具中に挿入されているフィルム小出しカセットの下から見た斜視図である。
【図１１】図１の廃棄物処分器具中に取り付けられた１対のフィルム小出しカセットの斜視図である。
【図１２】図１１の廃棄物処分器具中に取り付けられた１対のフィルム小出しカセットの断面図である。
【図１３】図１の廃棄物処分器具の容器の頂壁の拡大斜視図である。
【図１４】図１の廃棄物処分器具の蓋組立体を備えた容器の頂壁を示す図である。
【図１５】本発明の別の実施形態に係るフィルム小出しカセットと廃棄物処分器具の組立体の部分断面斜視図である。
【図１６】図１５のフィルム小出しカセットの縦断面斜視図である。
【図１７】ドアを備えた図１６のフィルム小出しカセットの斜視図である。
【図１８】ドアが省かれた状態の図１６のフィルム小出しカセットの斜視図である。
【図１９】フィルムが突き出た状態の図１６のフィルム小出しカセットの斜視図である。
【図２０】袋交換形態にある図１５の組立体の部分断面斜視図である。
【図２１】ドア係止形態にある図１５の組立体の部分断面斜視図である。
【図２２】廃棄物処分形態にある図１５の組立体の部分断面斜視図である。
【図２３】別の視点から見た図２２の組立体の部分断面斜視図である。
【図２４】本発明の廃棄物処分器具のペダルの斜視図である。
【図２５】前側ペダル部材が後側ペダル部材とは独立して回動した状態の図２４のペダルの斜視図である。
【図２６】図２４のペダルの斜視図であり、図２のカセットを滑らせてこれが係合状態になっている状態を示す図である。
【図２７】図２４のペダルの斜視図であり、カセットをペダルに係合させた状態を示す図である。
【図２８】図２４のペダルの斜視図であり、前側ペダル部材がカセットを空にしたときに後側ペダル部材とは独立して回動した状態を示す図である。
【発明を実施するための形態】
【００２８】
図面を参照し、特に図１を参照すると、廃棄物処分器具（以下、「器具」）が全体を符号１０で示されている。器具１０は、ごみ入れ、バケツ、ごみ箱、屑入れなどと呼ばれる場合がある。器具１０は、任意適当な種類の廃棄物に使用でき、かかる廃棄物としては、おむつ、汚れたリター、食料などが挙げられる。器具１０は、管状袋（図２）を形成することができるフィルムを小出しするフィルム小出しカセット（以下、「カセット」）２０を用いる形式のものである。任意他の適当な形式の袋ディスペンサもまた、器具１０と併用することができる。さらに、カセットという表現は、アイテム２０を説明するための幾つかある中の１つであり、他の表現は、カートリッジ、リフィルなどを含む。器具１０は、容器３０、蓋組立体４０および作動機構体５０を有する。
【００２９】
容器３０は、器具１０の構造体をなし、廃棄物を収容した管状袋を受け入れるとともに隠す。容器３０は、図示の形状には限定されない。任意適当な幾何学的形状もまた想定される。
【００３０】
蓋組立体４０は、容器３０の頂開口部を開閉し、廃棄物は、この頂開口部を通って器具１０によって支持されている袋中に投げ込まれる。
【００３１】
作動機構体５０は、蓋組立体４０を開閉するとともに悪臭を袋内に閉じ込めるために袋を封止する１対のジョーと相互作用するよう手動で（例えば足で）作動される。ジョーは、蓋組立体４０の蓋を閉じると袋が閉じられるようにするよう構成されているのが良い。
【００３２】
図２〜図４を参照すると、カセット２０が詳細に示されており、その諸部分が２０番台で示されている。カセット２０は、細長い形状を有するケーシング２１または本体を有する。ケーシング２１は、互いに連結された１つまたは２つ以上の部品から成るのが良い。図示の実施形態では、ケーシング２１は、カバー２２および入れ物２３を有する。カバー２２は、全体として、本明細書において説明するように用いられるとカセット２０の上側部品であり、入れ物２３は、使用時にはカセット２０の底部品である。しかしながら、貯蔵の際や棚に載せる際、カセット２０は、逆さまであっても良く、すなわち、カバー２２は、底部に位置し、他方入れ物２３は、上部分であっても良い。一実施形態では、カバー２２は、１対のパネル２２Ａ，２２Ｂで作られている。パネル２２Ａ，２２Ｂは、扁平であるのが良いが、これはオプションである。図３および図１２で理解されるように、パネル２２Ｂは、内方当接体を構成するよう外部から見て凹状であるのが良い。内方当接体は、以下に詳細に説明するようにフィルムがカセット２０から引き出されるときにロール２５を掴むエッジを構成するのが良い。１対のパネル２２Ａ，２２Ｂが存在する場合、フィルムがケーシング２１の内部から逃げ出るようにするためにスリット２２Ｃ（チャネル、細長い開口部とも呼ばれている）がパネル相互間に構成されるのが良い。開口部２２Ｄもまた、例えば人の指がフィルム２５の自由端部をつまむことができるようにするのに足るほど広くパネル２２Ａ，２２Ｂ相互間に形成されている。一実施形態では、カバー２２は、パネル２２Ａ，２２Ｂを有する場合の代替手段として、一体成形された一体品でもあって良い。一実施形態では、パネル２２Ａ，２２Ｂは、一体ヒンジがパネル２２Ａ，２２Ｂと入れ物２３との間の接合部のところに形成されるような仕方で入れ物２３と一緒に成形される。これにより、例えばロールのフィルムをケーシング２１の内側空所中に挿入することができる。次に、パネル２２Ａ，２２Ｂを図２の配置に合わせて閉じ、そして入れ物２３に固定するのが良い（一体ヒンジのところでの動きを阻止するために）。超音波溶接、接着、溶接、はんだ付けがパネル２２Ａ，２２Ｂを入れ物２３に固定するためのオプションである。図４に示されているように、フィルム２５は、スリット２２Ｃを通過するのが良いが、これはまた、これに代えて、開口部２２Ｄだけを通過しても良い。カセット２０は、スリット２２Ｃおよび開口部２２Ｄの一方のみを備え、両方を備えないのが良い。フィルム２５を把持するために開口部２２Ｄが設けられていない場合、その自由端部は、スリット２２Ｃを通って開口部２１から突き出るようあらかじめ配置されるのが良い。
【００３３】
依然として図２〜図４を参照すると、入れ物２３は、この形状が中空であることにより、ケーシング２１の内側空所を形成する。入れ物２３は、カバー２２と一緒になってカセット２０の露出状態の周辺表面材の大部分を形成する壁２３Ａを有する。入れ物２３は、図示していないが滑りジャーナル軸受を備えるのが良い。
【００３４】
図２を参照すると、袋またはフィルムのロール２５を支持したシャフト２４がケーシング２１内で自由に回転することができるものとして示されている。シャフト２４は、コアとも呼ばれる場合がある。シャフト２４は、任意適当な断面の中空管またはロッドであるのが良い。例えば、シャフト２４は、プラスチック、厚紙などで作られる。別の実施形態では、フィルム２５は、それ自体丸められ、この場合、シャフト２４はなんら用いられない。フィルム、袋、管などの表現は、ロール２５の特徴を述べるために使用できる。一実施形態によれば、ロール２５は、端と端をつないだ管状フィルムで作られている袋を有し、ロール２５の自由端部は、袋の開口端部によって形成されている。以下の説明で理解されるように、カセット２０は、器具１０の底部に納められるのが良く、ロール２５のフィルムは、ロール２５の残部に連結されたままの状態で、上方に引き出されて器具１０の頂部に対して開かれた状態で吊り下げられる。ロール２５の他端部は、シャフト２４（もし設けられている場合）に巻き付けられる。ロール２５の他端部は、シャフト２４に対して非連結状態であるのが良い。ロール２５の他端部をシャフト２４に取り付けるために保持手段、例えば接着剤、テープ、またはシャフト２４に設けられたスリットまたはグリッパが設けられるのが良い。カセット２０は、袋のロール２５なしで設けられても良く、ユーザは、ケーシング２１を開いて袋の交換ロール２５を挿入する。
【００３５】
図２〜図４を参照すると、カセット２０は、リム２６を有するのが良い。リム２６は、カセット２０が用いられる場合、カセット２０の周囲のところ、例えば頂部周囲のところに形成される。リム２６は、入れ物２３を越えて延びるカバー２２の一部分から成るのが良い。変形例として、リム２６は、カバー２２を越えて延びる入れ物２３のフランジ部分から成っていても良い。図２〜図５に示されているように、リム２６は、カバー２２の一部分と入れ物２３の底部のところに設けられたフランジの両方の組み合わせであるのが良い。リム２６は、連続しているものとして示されているが、ケーシング２１の周りに連続しまたは不連続である多くのセグメントを有するのが良い。リム２６はまた、肩、フランジ、リップ、ストリップなどと呼ばれる状態で知られている場合がある。
【００３６】
図２を参照すると、カセット２０は、開口部２２Ｄを保護するカバーフラップ２７を有するのが良い。カバーフラップ２７は、カバー２２および／または包装材によって構成されるのが良い。一実施形態では、カバーフラップ２７の一部は、カバー２２の残部から引きちぎられるのが良い。この目的のため、引き裂き線２７Ａがカバー２２の残部（例えば、パネル２２Ａ，２２Ｂのうちの一方）に対してフラップ２７を境界付けるのが良い。引き裂き線は、フラップ２７の取り外しを容易にするカバー２２の壁に設けられた薄いウェブまたは一連のミシン目であるのが良い。一実施形態では、ユーザがフラップ２７を掴むために窓が設けられるのが良い。別の実施形態では、ドアが設けられておらず、カバー２２の壁が開口部２２Ｄのところで単に開かれている。変形例として、開口部を一時的に閉鎖するために（例えば、ドアが設けられていない場合）別のコンポーネント、例えばラベル、プラスチックフィルム、包装材などが設けられても良い。例えば、インナーモールドラベリング（inner mold labelling：ＩＭＬ）材料がケーシング２１を包むとともに開口部２２Ｄの少なくとも一部分を覆うフラップ２７を形成する。ＩＭＬ材料２７には、開口部２２Ｄと位置が合った状態で、引きちぎられるための既定の引き裂きストリップ２７Ａが設けられるのが良く、それによりフィルム２５への接近が可能である。一実施形態では、カバー２２および入れ物２３は、フラップ２７（設けられている場合）を含む一体成形型一体品であるのが良い。ＩＭＬ材料は、一体品と同時成形されても良くあるいは、それどころか、ＩＭＬ材料がカバー２２および入れ物２３と一体であるので、一体性状に寄与するものとみなされても良い。
【００３７】
カセット２０を説明したからには、カセット２０からのフィルムの展開について説明する。カセット２０がフラップ２７または図２の場合のように開口部２２Ｄを覆う包装材または同様なメンブレン（例えば、ＩＭＬ材料）付きで売られている場合、フラップ２７、包装材またはメンブレンを取り外してカセット２０の内部、特にフィルム２５を露出させる。フィルム２５の自由端部をフラップ２７、包装材、またはメンブレンにつなげる（例えば、テープ止めする）のが良く、その結果、フィルム２５の自由端部が引っ張られるようになっている。次に、フィルム２５の自由端部を図４に示された仕方でスリット２２Ｃおよび／または開口部２２Ｄを経てケーシング２１から出すのが良く、その結果、フィルムをケーシング２１から引き出すことができる一方で、フィルム２５の残部はケーシング２１内に位置したままである。図４に示されているように、フィルム２５は、フィルムの折り畳みロールであっても良く、２つの折り畳み線は、一例として設けられている。フィルム２５の自由端部は、開口端部である。図１２に示されているように、カセット２０を内方取り付け体がフィルム２５の出口方向と反対側に位置するように差し向けるのが良い。例えば、図１２では、フィルム２５をより中央の場所（２つのカセット２０相互間）から引き出す。したがって、ロール２５を引っ張ったときに内方当接体に押し付けるのが良い。内方当接体は、フィルムをスリット２２Ｃから出る前にロール２５から押し出すデフレクタとしての役目を果たすことができる。
【００３８】
図１および図１０〜図１２を参照すると、容器３０は、底部分３１および上部分３２を有するのが良く、これら部分は、容器３０の内部への接近を可能にするよう分離可能であっても良くそうでなくても良い。底部分３１は、器具１０が用いられているときに地面または床上に載る。開口部３１Ａが底部分３１の外面に設けられるのが良く、その結果、作動機構体５０のペダルが開口部３１Ａから突き出ることができるようになっている。開口部３１Ａは、作動機構体５０のペダルを作動可能に収容する空所３１Ｂ中に開口している。ペダルを回動可能に支持するため、図１０で理解されるように、底部分３１は、ピボット支持体３１Ｃ（１つが示されているが、底部分３１は、一実施形態ではこれを通る対称面を有する）を有するのが良い。それゆえ、ピボット支持体３１Ｃが考えられる一実施形態として滑り軸受として作用するために鏡像関係にあるピボット支持体が設けられるのが良い。ピボット支持体３１Ｃは、カセット２０およびペダルを載せた状態で受け入れるマウント３１Ｄの一部であるのが良い。底部分３１Ａの種々のコンポーネントは、単一部品に一体成形されても良くあるいは多くの部品で構成されても良い。
【００３９】
底部分３１は、カセット２０を受け入れる１つまたは２つ以上のコンパートメント３１Ｄ（２つが図示されている）をさらに有するのが良い。コンパートメント３１Ｄは、カセット２０を受け入れるとともに解除可能に支持するフレーム３１Ｆを形成することができる。例えば、片持ちアーム３１Ｅがリム２６を介してカセットを保持するスナップ嵌め構造体を形成するのが良い。アーム３１Ｅに加わる指圧がカセット２０を底部分３１から解除する上で十分であるといえる。かかるアーム３１Ｅのうちの１つまたは２つ以上が設けられるのが良い。コンパートメント３１Ｄは、底部分３１（図１０）の下側を経て接近可能であるのが良く、窓３１Ｇがフィルムを容器３０（図１１）の内部中に展開することができるようにするために設けられている。カセット２０は、カセット２０が互いに平行な状態で（例えば、ロール２５の回転軸線に対して）並置状態にあるのが良い。
【００４０】
容器３０はまた、単一の管状ユニットであっても良い。他の構成例、例えばファブリックの管もしくはスリーブまたは構造ビームを覆うパネル用材が想定される。開口部３３が容器３０の頂部のところに位置している。開口部３３は、袋の廃棄物の処分のために容器３０の内部への接近を可能にする。
【００４１】
図５、図１３および図１４を参照すると、上側カラー３４が開口部３３の少なくとも一部を境界付け、かかる上側カバーは、蓋組立体４０と容器３０との間のインターフェースであるのが良い。カラー３４が示されているが、他の構成、例えば単一のＵカラーまたは環状カラーが想定される。袋フック３４Ａが開口部３３の付近で上側カラー３４の上方に向いた表面上に（すなわち、開口部３３と反対側の側部上に）設けられるのが良く、かかる袋フックは、カセット２０により小出しされる袋のための取り付け部としての役目を果たす。この実施形態では、袋フック３４Ａのうちの４つが容器３０内に存在する（２つが見える）が、１つまたは２つ以上のカラー３４についてこれよりも多いまたは少ない袋フックが設けられても良い。４つの袋フック３４Ａは、開口部３３のコーナー部のところに位置するのが良く、この開口部は、角丸四角形（squircle）または楕円形の形をしている。開口部３３が丸形の場合、袋フック３４Ａは、多くの他の実施例のうちで０°／９０°／１８０°／２７０°または０°／１２０°／２４０°のところに分布して配置されるのが良い。一例として、２つの半径方向反対側の細長い袋フック３４Ａが設けられるのが良い。袋フックの代替手段として、容器３０は、バッグの取り付けのためにそのカラー３４を利用するのが良く、袋の頂部は、カラー３４上に折り返されて摩擦によって保持される。フック３４Ａは、リップまたはフランジの形態を取るのが良い。袋のインターフェースは、カラー３４および／またはフック３４Ａとして示されているが、袋のための他のインターフェースとしては、ピン、グリップ、プライヤ、ボア、ピンおよびボアステップ、単一のカラーなどが挙げられる。
【００４２】
図５、図１３および図１４を参照すると、上側カラー３４は、１対のＵ字体を備えた壁３５の頂部のところに位置するのが良く、１対のＵ字体は互いに向かい合うとともにこれらの間に開口部３３を形成している。壁３５は、例えば上部分３２の一部として一体成形部品であるのが良く、以下に説明する多くのコンポーネントのための機能的支持体として作用する多くの特徴を備えている。ヒンジ付きドア支持体３５Ａが後で説明するようにドアをヒンジ式に支持するために開口部３３に隣接して壁３５に設けられるのが良く、かかるヒンジ付きドア支持体は、開口部３３からの容器３０の内部への出入り口を閉じまたは開き、他方、袋は、悪臭を袋内に閉じ込めるために閉鎖状態に閉じる。ヒンジ式ドア支持体３５Ａがピボット入れ物であるとして示されているが、ピボットおよび／またはピボット穴を含むのが良い。壁３５はまた、当接または停止部として作用し、ドアのうちの１つが下方に回動するのを阻止するために開口部３３の周囲に設けられた肩３５Ｂをさらに備えるのが良い。
【００４３】
ヒンジ式蓋支持体３５Ｃがこれまた開口部３３からの容器３０の内部への出入り口を閉じまたは開くよう蓋組立体４０を回転可能に支持するために容器３０の外面に隣接して上部分３２に設けられるのが良い。ヒンジ式蓋支持体３５Ｃは、一実施形態としてピボット部材を備えたポストまたはコラムの形態をしているのが良い。また、蓋組立体４０の回動により、器具１０の種々のコンポーネントを露出させることができる。ヒンジ式蓋支持体３５Ｃは、図示のようにピボットおよび／またはピボット穴を有するのが良い。
【００４４】
保持部材３５Ｄが図１の閉鎖部分内に蓋組立体４０を解除可能に保持するためにヒンジ式蓋支持体３５Ｃと反対側の上部分３２の側部に設けられるのが良い。戻り止め機構体が保持フィンガ３５Ｄと協働して蓋組立体４０を閉鎖状態に保つのが良く、これについては以下において説明する。変形実施形態では、保持部材３５Ｄは、弾性変形による付勢作用によってヒンジ式蓋支持体３５Ｃを保持する片持ち形式のものであるのが良い。アーム３５Ｅ（図５）が容器３０の上部分３２、例えば壁３５から容器３０の内側空所中に突き出るよう設けられるのが良く、このアームは、ドアを以下に説明するように閉鎖状態に維持するのを助けることができる。
【００４５】
図１および図６〜図９を参照すると、蓋組立体４０は、環状基部４１を有する。環状基部４１の幾何学的形状は、カラー３４を含め容器３０の上部分３２の上端部の幾何学的形状と相補している。したがって、蓋組立体４０の環状基部４１は、容器３０の上端部上、例えば壁３５上に載せられる。環状基部４１は、その下方に開いた環状空所内でカラー３４を隠すとともに覆うよう図１の場合と同様に、スカート状本体を有するのが良い。図示の実施形態では、環状基部４１は、例えば図１の閉じ配向状態から図６の開き配向状態に回動するようヒンジ式蓋支持体３５Ｃに連結されている。環状基部４１は、相補形状のヒンジ継手コンポーネント４１Ａ、例えばピボット穴、ピボットなどを有する。図９に示されているように、ばねを備えた戻り止め４１Ｂが保持部材３５Ｄに解除可能に結合するよう設けられるのが良い。他の相互連結手段、例えば圧力嵌め、連結迅速システム、螺合方式などが想定される。環状基部４１は、例えば、袋をカラー３４に取り付けたりこれから取り外したりするよう図６の開き配向状態まで回動可能である。さらに、突出部４１Ｃ（図５）がフィルムを突出部４１Ｃとフック３４Ａとの間に保持するためにフック３４Ａと向かい合ってかつこれに近接して位置決めされるのが良い。突出部４１Ｃは、対をなす壁であるのが良い。図７、図８Ａおよび図８Ｂで理解されるように、環状基部４１は、漏斗状部分４１Ｄを有するのが良い。漏斗状部分４１Ｄは、廃棄物が開口部３３の方へ差し向けられるようにする。さらに、漏斗状部分４１Ｄは、以下に説明するようにコンポーネントのうちの幾つかを閉じるのを助けるよう波形パターンを有するのが良い。
【００４６】
蓋４２がヒンジ部材４３によって容器３０の上部分３２または環状基部４１に回動可能に連結されている。一実施形態では、ヒンジ部材４３もまた、ヒンジ式蓋支持体３５Ｃに作動可能に連結されている。したがって、蓋４２は、図５〜図８に示されているような開き位置と図１に示されているような閉じ位置との間で回動することができる。閉じ位置では、蓋４２は、開口部３３を閉塞する。開き位置では、開口部３３は、露出されそれによりユーザは、廃棄物を器具１０内の袋の中に投げ込むことができる。蓋４２は、環状基部４１の残部から独立して回動することができる。一実施形態では、環状基部４１と蓋４２の両方がヒンジ式蓋支持体３５Ｃに回動可能に連結されているので、蓋４２の回転軸線と環状基部４１の回転軸線は同軸である。
【００４７】
図１および図５〜図９を参照すると、作動機構体５０は、ユーザによってペダル５１とインターフェースされたリンク装置（すなわち、リンクおよび継手）から成る。ペダル５１は、考えられる一形態としてそのピボット形成体５１Ａにより容器３０の底部分３１に回動可能に連結されている（別個のピボットがもう１つのものである）。ペダル５１の前側部分は、容器３０の前側から外方に突き出ていて、地面の近くに位置し、それにより、ユーザは、ペダル５１の露出部分を単に押すだけで器具１０の蓋４２を開くことができる。器具１０は、ハンドレバーなどのような別のインターフェースを備えても良い。したがって、作動機構体５０は、１つまたは２つ以上のリンクおよびこれらの間の継手を含むリンク組立体を有し、これらリンクおよび継手は、蓋４２の開放を生じさせるとともに以下に説明するドアに作用する。
【００４８】
一実施形態によれば、第１のリンク５２が容器３０の内部でペダル５１の後側部分に連結されている。この連結部は、図示のようにピボット連結部であるのが良いが、並進連結部もまた使用できる。第１のリンク５２は、容器３０に設けられた構造コンポーネント、例えば底部分３１および上部分３２に設けられた開口部に連結されるのが良く、それにより並進運動（すなわち上下運動）に制限される。したがって、図６に示されているようにペダル５１の前側部分を下方に押すことによって、第１のリンク５２は、上方に動く。次に、ペダル５１を解除すると、第１のリンク５２は、例えば重力により下方に動く。ばね５２′（図７）がオプションとして、第１のリンク５２を下方に引き下げるよう設けられるのが良い。第１のリンク５２を単一のセグメントまたは例えば嵌合連結方式により組み立て可能な多数のセグメント（２つが示されている）で作ることができる。
【００４９】
依然として図１および図６〜図９を参照すると、第１のリンク５２は、蓋押圧端部５２Ａを有する。蓋押圧端部５２Ａは、蓋４２にその回転軸線に隣接したところで接触する。端部５２Ａは、端部５２Ａを構成するカム面を備えた二叉フォークの一部であるのが良く、ただし、単一の端部５２Ａもまた設けられても良い。端部５２Ａは、壁３５に設けられた開口部から突き出るのが良く、かかる開口部は、端部５２Ａが並進状態で動くようにすることができる。二叉フォークは、考えられる一構成例である。他の実施形態が想定される。
【００５０】
二叉フォークはそれゆえに、空所を画定している。案内スロット５２Ｂが二叉フォークの空所中に形成されるのが良い。したがって、第１のリンク５２の上方運動の結果として、蓋４２に対する端部５２Ａの押圧作用によって蓋４２が開く。同様に、第１のリンク５２の下方運動により、端部５２Ａの引っ込み運動により閉じ位置に向かう蓋４２の運動が生じる。
【００５１】
ペダル５１の運動を蓋４２に伝達することに加えて、作動機構体５０はまた、袋を閉じ状態に封止する作用効果をドア５３Ａ，５３Ｂに加えることも可能である。ドア５３Ａ，５３Ｂは、フラップ、トラップ、ジョーとも呼ばれる場合がある。ドア５３Ａ，５３Ｂは、相補形状のピボット継手コンポーネント（例えば、ピボットおよび／またはピボット穴）によってヒンジ式ドア支持体３５Ａに回動可能に取り付けられている。付勢部材５３Ａ′、例えばばねがドア５３Ａを付勢するために設けられるのが良い。一実施形態では、付勢部材５３Ａ′は、ドア５３Ａを図５の回動位置に付勢するのが良い。一実施形態では、付勢部材５３Ａ′は、変形例として、ドア５３Ａを図１の閉じ位置に付勢しても良い。ドア５３Ａ，５３Ｂの回転軸線は、器具１０が床の上に位置しているとき、全体として水平であるのが良い（例えば、±１０°、ただし、角度はより大きくても良い）。ドア５３Ａ，５３Ｂの回転軸線は、互いに平行であるのが良い。さらに、ドア５３Ａは、肩３５Ｂに当接するのが良く、それにより、ドアは、オプションとしての特徴として、肩３５Ｂを越えて下方に回動することができない。ドア５３Ａ，５３Ｂは、互いに接触するよう寸法決めされておりそれにより開口部を通過した袋（例えば、カラー３４に取り付けられている）を閉じる。図１は、考えられる一構成例において、ドア５３Ａに設けられていて、ドア５３Ｂの縁部分を受け入れる溝を示している。
【００５２】
第２のリンク５４が第１のリンク５２のドア５３Ｂにインターフェースしている。第２のリンク５４は、その端部のうちの一方に設けられたピボット５４Ａおよびその端部のうちの他方のところに設けられたフォロア５４Ｂを有する。ピボット５４Ａは、ドア５３Ｂに回動可能に連結され、それにより回動連結部が形成されている。ピボット連結部は、ドア５３Ｂと壁３５とのピボット連結部に隣接して位置するのが良い。第２のリンク５４は、フォロア５４Ｂが案内スロット５２Ｂ内に受け入れられた状態で、第１のリンク５２の二叉フォーク内に嵌め込まれるのが良い。したがって、フォロア５４Ｂは、案内スロット５２Ｂ内で回転するとともに／あるいは並進することができる。図示の対に代えて、単一の組をなす案内スロット５２Ｂとフォロワ５４Ｂもまた使用できる。
【００５３】
次に、第１のリンク５２とドア５３Ｂと第２のリンク５４との作動的相互作用について説明する。開始時点として、ドア５３Ａ，５３Ｂは、互いに当接し、袋をこれらの間に閉じ、そしてこれらの一体形ピボット部分（考えられる一形態である）により壁３５に回動可能に取り付けられる。図６および図７を参照すると、ユーザは、リターを袋の中に捨てるためにペダル５１を押すのが良い。その結果として、第１のリンク５２は、上方に動く。蓋押圧端部５２Ａは、圧力を蓋４２に加え、蓋４２は、図６および図７に示された位置まで上方に回動する。その時点で、フォロア５４Ｂは、リンク５２の案内スロット５２Ｂの底部に位置する。ばね５５または同様な付勢部材（例えば、重力）は、ドア５３Ｂが図６の場合のように閉鎖状態のままであるようにすることができる。圧力をドア５３Ｂに下方に加えた場合、例えば、廃棄物をドア５３Ｂの頂面に落とした場合、ドア５３Ｂは、例えば設けられている場合にはばね５５の作用に抗して、下方に回動して廃棄物を容器３０内の袋の底部に落下させることができる。一実施形態では、ドア５３Ａは、ドア５３Ｂが下方に回動したときには動かない。フォロア５４Ｂは、その結果、案内スロット５２Ｂ内で上方に動くことになる。図８Ａは、案内スロット５２Ｂの頂部とのフォロア５４Ｂの接触状態を示しており、スロット５２Ｂは、かかる場合には当接停止部として作用する。ペダル５１への圧力が除かれた場合、第２のリンク５４と第１のリンク５２との間のばね５５は、ドア５３Ｂを付勢して図１のその位置に戻し、それによりドア５３Ａ，５３Ｂ相互間の袋を閉じ、その結果、悪臭が袋から出るのを阻止することができる。また、ペダル５１への圧力の解除の結果として、第１のリンク５２の下方運動が生じ、かくして蓋４２が閉じる。作動機構体５０を用いた廃棄物の処分ステップ全体を通じて、ドア５３Ａは、その定位置に位置したままである。
【００５４】
ペダル５１を押し下げると、蓋４２が持ち上げられ、それにより開口部３３およびドア５３Ａ，５３Ｂが露出され、これらドア５３Ａ，５３Ｂは、閉じ位置（ただし、閉じ配向状態という表現もまた使用できる）にある。ばね５２′により、作動機構体５０の付勢力をドア５３Ａ，５３Ｂに加えることができ、それによりドア５３Ａとドア５３Ｂが互いに当接する。フォロア５４Ａをスロット５２Ａの端部によって押すのが良い。ユーザは、その結果、物体を投げ捨てることができる。物体の重量は、ばね５５または同様な付勢機構体の付勢作用よりも大きいのが良く、それにより、ドア５３Ｂは、物体を通すよう一時的に開く。これを１つの回動位置（ただし、回動配向状態という表現もまた使用できる）という場合がある。物体がドア５３をいったん越えて袋の中に入ると、ドア５３Ｂは、ドア５３Ａ（図１）に当接する閉じ位置に戻り、そしてドア相互間で袋を締め付ける。ペダル５１を解除すると、第２のリンク５４は、ばね５５によって引っ張られるにつれて下方に動き、それにより圧力をドア５３Ｂに及ぼしてドア５３Ｂが図１に示された仕方でドア５３Ａに押し付けられる。
【００５５】
袋が一杯になって交換が必要とされる場合、ペダル５１を押さないで蓋組立体４０全体を図５の場合のように遠くへ回動させる。これにより、フック３４Ａに取り付けられている袋の頂端部が露出する。袋の頂端部をフック３４Ａから取り外し、そして上方に引き上げるのが良い。漏斗状部分４１Ｄがもはやドア５３Ａに圧接しないので、ドア５３Ａは、図５の回動位置に動くことができる。ドア５３の場合と同様、フォロア５４Ｂは、スロット５２Ｂの頂部のところに位置し、このフォロアは、自由に下方に動くことができる（ドア５３Ｂが上方に回動している間）。したがって、袋に加わる上向きの引っ張り力により、ドア５３Ａ，５３Ｂが別の回動位置（ただし、回動配向状態という表現もまた使用できる）において図５の場合のように上方に回動する。一実施形態では、ドア５３Ａ，５３Ｂを回動させて図５の場合のように空所から遠ざけるため、リンク５２，５４相互間の協調がストッパとして作用する場合があるのでペダル５１を解除しなければならない。したがって、袋を上方引っ張り力によって容器３０から取り外すのが良い。袋は、ロール２５または同様な取り付け状態の袋のシーケンスの一部なので、次の袋をカラー３４の高さ位置まで同時に引き上げる。一杯になった状態の袋をロール２５からいったん取り外すと、ロール２５中の次の空の袋をカラー３４に取り付けるのが良い。
【００５６】
ドア５３Ａ，５３Ｂを閉じて別の袋をいったん袋インターフェース（例えば、カラー３４）に取り付けると、ドア５３Ａが肩３５Ｂとのその当接により容器３０の内側空所の内方に回動しない場合、ドア５３Ｂがドア５３Ａの下に位置するよう一連の作用が起こることになる。ドア５３Ｂをばね５５および重力の作用によって、およびオプションとして環状基部４１の接触によって下方に押圧するのが良い。これが起こっている間、ドア５３Ａは、ばね５３Ａ′によって上方に保たれる。次に、漏斗状部分４１Ｄは、ドア５３Ａに接触し、そしてこれを閉じ位置に回動させる。一実施形態では、閉じ位置では、ドア５３Ａは、肩３５Ｂと漏斗状部分４１Ｄの縁との間にサンドイッチされ、それにより図８Ｂに示されているように閉じ位置のままである。
【００５７】
したがって、作動機構体５０は、２つまたは３つ以上の相互連結リンクを含むのが良い。一実施形態では、ペダル５１と第１のリンク５２は、少なくとも１つの自由度（ＤＯＦ）を提供する継手によって互いに連結されている。一実施形態では、継手は、回転ＤＯＦをもたらす。第１のリンク５２は、蓋４２には物理的には結び付けられておらず、これとは異なり、その代わり、蓋４２のその端部５２Ａ上に浮動させることができる。第１のリンク５２と第２のリンク５４は、２つ以上のＤＯＦを備えた継手によって互いに連結するのが良い。一実施形態では、２つのＤＯＦは、回転ＤＯＦおよび並進ＤＯＦである。並進ＤＯＦは、ばね５５によって付勢されるのが良い。第２のリンク５４とドア５３Ｂは、回転ＤＯＦ（それよりも多くはない場合）を備えた継手によって連結されるのが良い。回転ＤＯＦ継手は、ドア５３Ｂと壁３５との間のピボット連結部の外方に配置されるのが良い。ドア５３Ａ，５３Ｂは各々、回転ＤＯＦ継手によって壁３５に連結されるのが良い。
【００５８】
次に、図１０〜図１２を参照すると、１対のカセット２０が底部分３１内に受け入れ可能な状態であることが示されている。器具１０は、単一のカセット２０と協働することができるが、２つのカセット２０が設けられていると、組立体の能力が２倍になる。一実施形態では、第１のカセット２０が空になると、その後に第２のカセット２０が用いられる。底部分３１は、カセット２０が図示の仕方で、すなわち、中心に向かう内方当接体により差し向けるようにするための内方突出部を有するのが良い。
【００５９】
他の実施形態としては、ドア５３について異なる形状が採用されること、ドア５３の両方が下方に動くことができること、単一のドア５３が設けられること、管状フィルム２５のためにＥＶＯＨが用いられること、カセット２０が用いられず、その代わりに一体形袋とともに器具１０が用いられること、カセット２０の一部ではない袋ロールとともに器具１０が用いられること、別の形式の器具１０、例えばドアがなく、しかも作動機構体５０が設けられていないバケツ内にカセットが用いられることが挙げられる。
【００６０】
したがって、作動機構体５０は、開いた袋２５がカラー３４に取り付けられるとともに容器３０内に延びた状態で、図１に示されたような平衡状態を有することができる。平衡状態では、ドア５３Ａとドア５３Ｂは、袋がドア５３Ａ，５３Ｂ相互間で閉じられた状態で閉じ位置において互いに当接する。ばね５２′，５５を含む作動機構体５０の種々のばねは、ドア５３Ｂがドア５３Ａに当接する閉じ位置のままであるようにするのを助けることができる。ばね５３Ａ′はまた、この平衡状態に寄与することができる。さらに、リンク５２に加わる重力により引っ張り力をドア５３Ｂに及ぼすことができる。スロット５２Ｂの頂部をフォロア５４Ａに圧接させることによって、ドア５３Ａ，５３Ｂは、これらの間で袋を締め付ける。一実施形態では、カセット２０は、長期間にわたって十分な量のフィルムを提供し、それにより必要な交換用カセットを少なくすることができる。
【００６１】
作動機構体５０のペダル５１を押すと、蓋４２が上方に開き、例えば第１のリンク５２および第２のリンク５４を含むリンク装置組立体は、もはや、ドア５３Ｂがばね５５の作用による以外には下方に回動するのを保持することはない。しかしながら、ドア５３Ｂに加わる廃棄物の重量および／または手の圧力は、ドア５３Ｂを容器３０の内方の回動位置に容易に回動させることができる。さらに、ドア５３Ａ，５３Ｂの両方を図５に示されているような開き回動位置に回動可能にすることによって内容物の入った袋を開口部３３のこの無視することができない領域または断面によって容器から引き出すことができる。これにより、ユーザは、器具１０を頂部から空にすることができる。
【００６２】
図面を参照し、特に図１５〜図２８を参照すると、本発明の別の実施形態に係る廃棄物処分器具（以下、「器具」という）が全体を符号１１０で示されている。器具１１０は、管状袋を形成することができるフィルムを小出しするフィルム小出しカセット（以下、「カセット」）１２０を用いる形式のものである。任意他の適当な形式の袋ディスペンサもまた、器具１１０と併用することができる。器具１１０は、容器１３０、蓋組立体１４０および作動機構体１５０を有する。
【００６３】
容器１３０は、器具１１０の構造体をなし、廃棄物を収容した管状袋を受け入れるとともに隠す。容器１３０は、図示の形状には限定されない。任意適当な幾何学的形状もまた想定される。
【００６４】
蓋組立体１４０は、容器１３０の頂開口部を開閉し、廃棄物は、この頂開口部を通って器具１０によって支持されている袋中に投げ込まれる。
【００６５】
作動機構体１５０は、蓋組立体１４０を開閉するとともに悪臭を袋内に閉じ込めるために袋を封止する１対のジョーと相互作用するよう手動で作動される。ジョーは、蓋組立体１１０の蓋を閉じると蓋が閉じられるようにするよう構成されているのが良い。
【００６６】
図１６〜図１９を参照すると、カセット１２０が詳細に示されており、その諸部分は、１２０番台で示されている。カセット１２０の内部が図１６に示されている。カセット１２０は、細長い形状を有するケーシング１２１または本体を有する。ケーシング１２１は、互いに連結された１つまたは２つ以上の部品から成るのが良い。図示の実施形態では、ケーシング１２１は、プレート１２２およびカバー１２３を有する。プレート１２２は、本明細書において説明するように使用時においては全体としてカセット１２０の底部分である。プレート１２２は、全体として扁平な部分１２２Ａを有し、その結果、その下面は、平面状の摺動面を形成するようになっている。１対の支持体１２２Ｂが平坦部分１２２Ａから上方に突き出ている。支持体１２２Ｂは、以下に説明するように滑りジャーナル軸受を備えるのが良い。支持体１２２Ｂのうちの一方または両方は、溝１２２Ｃを有するのが良い。一実施形態では、プレート１２２は、平坦部分１２２Ａ、支持体１２２Ｂおよび溝１２２Ｃを含む一体成形された一体形部品であるのが良い。プレート１２２が相対的に薄くしかもポリマー、厚紙などで作られている場合があるので、このプレートは、変形能力を備えることができ、これは図１６のその平べったい状態から曲がることができるともいうことができる。曲げは、良好な運動範囲に関して弾性変形であるのが良い。
【００６７】
依然として図１６を参照すると、カバー１２３は、その中空形状によって空所を形成している。カバー１２３は、プレート１２２の扁平部分１２２Ａと一緒になってカセット１２０の露出周辺表面材の大部分を形成する壁１２３Ａを有する。支持体１２３Ｂが壁１２３Ａから内方に突き出ていてこれら支持体は、プレート１２２の支持体１２２Ｂと面と面を合わせるとともにこれと対をなすよう配置されている。１つの支持体１２２Ｂと１つの支持体１２３Ｂの各対は、シャフトを回転可能に支持する滑りジャーナル軸受を構成し、その結果、シャフトは、それ自体回転することができるようになっている。滑りジャーナル軸受相互間の壁１２３Ａの一部分は、壁１２３Ａの残部から引きちぎり可能なドア１２３Ｃであるのが良い。この目的のため、引き裂き線１２３Ｄが壁１２３Ａの残部に対してドア１２３Ｃを境界付けるのが良い。引き裂き線１２３Ｄは、ドア１２３Ｃの取り外しを容易にする壁１２３Ａに設けられた薄いウェブまたは一連のミシン目であるのが良い。一実施形態によれば、図１７に示されているように、ユーザがドア１２３Ｃを掴むために開口部１２３Ｅが設けられるのが良い。別の実施形態では、ドアが設けられておらず、壁１２３Ａが引き裂き線１２３Ｄのところで単に開かれている。変形例として、開口部を一時的に封止するために（例えば、ドアが設けられていない場合）別のコンポーネント、例えばラベル、プラスチックフィルム、包装材などが設けられても良い。図１８および図１９は、ドア１２３Ｃ（設けられている場合）がいったん取り外された場合の開口部１２３Ｅの寸法の広がり状態を示している。開口部１２３Ｅは、プレート１２２までまたはこの近くに延びている。一実施形態では、壁１２３Ａの小さなウェブが残っている。一実施形態では、カバー１２３は、壁１２３Ａ、支持体１２３Ｂ、およびドア１２３Ｃ（設けられている場合）を含む一体成形された一体品であるのが良く、ただし、他の構成例が考慮される。
【００６８】
図１６を参照すると、袋またはフィルムのロール１２５を支持したシャフト１２４が滑りジャーナル軸受によって回転可能に支持された状態で示されており、シャフト１２４は、それ自体、回ることができるようになっている。シャフト１２４は、その端部のところまたはその近くに１対のフランジ１２４Ａを有するのが良い。シャフト１２４は、相補形状のインターフェース部材１２４Ｂによって相互に連結された２つのシャフト部分で形成されるのが良い。一実施形態によれば、フランジ１２５Ａおよびインターフェース部材１２４Ｂを含む２つのシャフト部分は、互いに同一であり、それにより、シャフト１２４は、２つの同一部品で作られている。この部品は、成形されても良く、あるいは任意他の仕方で製作されても良い。
【００６９】
インターフェース部材１２４Ｂは、フック状の形をしているのが良く、フック表面１２４Ｃが互いに接触している。一実施形態によれば、フック表面１２４Ｃの角度は、インターフェース部材１２４Ｂ相互間の相互連結を促進するよう所与の範囲内にある。角度範囲をシャフト１２４の長手方向軸線Ｘに対しかつ長手方向軸線Ｘを垂線とする平面について述べることができる。平面は、図１６ではＹとして概略的に示されている。図１６においてθとして示されている角度は、一実施形態では、０°〜４５°である。角度θはまた、４５°を超えていても良い。インターフェース部材１２４Ｂのかかる形態の結果として、シャフト１２４の２つの部分は、厳密に長手方向軸線Ｘに沿って引っ張り力によっては互いに引き離されることはなく、シャフト１２４の幾つかの部分に加わる半径方向力の結果として、シャフト１２４がその２つの部分に分離することができる。
【００７０】
組立状態のシャフト１２４上のフランジ１２４Ａからフランジ１２４Ａまでの長さは、シャフト１２４がその長手方向軸線Ｘに沿って動くことができずまたは動くとしても最小限であるように遊びがほとんどなくまたは全くない状態でフランジ１２４Ａが滑りジャーナル軸受の遠位面上に位置するようなものである。さらに、フランジ１２４Ａのうちの一方は、溝１２２Ｃ内に受け入れられるのが良い。したがって、４点長方形構造体またはブレースがシャフト１２４、支持対１２２Ｂ／１２２Ｃの滑りジャーナル軸受および扁平部分１２４によって形成されている。シャフト１２４の２つのシャフト部分が図１５に示された仕方で相互に連結されると、その結果として生じるブレースは、平坦部分１２２Ａの変形を阻止する。
【００７１】
フィルムのロール１２５が組立状態のシャフト１２４上に位置し、シャフト１２４は、コアとも呼ばれる場合がある。フィルム、袋、チューブなどという表現は、ロール１２５を説明するために用いられる場合がある。一実施形態によれば、ロール１２５は、端と端を付き合わせた状態でつなぎ合わされた管状フィルムで作られた袋を有し、ロール１２５の自由端部は、袋の開口端部によって構成されている。以下の説明で理解されるように、カセット１２０は、器具１１０の底部に納められるのが良く、ロール１２５のフィルムは、ロール１２５の残部に連結されたままの状態で、上方に引き出されて器具１１０の頂部に対して開かれた状態で吊り下げられる。ロール１２５の他端部は、シャフト１２４に巻き付けられる。ロール１２５の他端部は、シャフト１２４に対して非連結状態であるのが良い。ロール１２５の他端部をシャフト１２４に取り付けるために保持手段、例えば接着剤、テープ、またはシャフト１２４に設けられたスリットまたはグリッパが設けられるのが良い。シャフト１２４へのロール１２５の巻き付けにより、シャフト１２４の２つの部分がインターフェース部材１２４Ｂのところで互いに連結状態のままであるようになる。ロール１２５の巻き付けは、シャフト１２４の２つの部品相互間に生じ得る半径方向遊びがほとんどなくまたは全くないほどきつい。カセット１２０は、袋のロール１２５なしで設けられても良く、ユーザは、ケーシング１２１を開いて袋の交換ロール１２５を挿入する。
【００７２】
図１４〜１９を参照すると、カセット１２０は、リム１２６を有するのが良い。リム１２６は、カセット１２０の底部のところに形成されている。リム１２６は、カバー１２３を越えて延びるプレート１２２の一部分から成るのが良い。変形例として、リム１２６は、プレート１２２を越えて延びるカバー１２３のフランジ部分から成っていても良い。図２〜図５に示されているように、リム１２６は、プレート１２２とカバー１２３の底部のところに設けられたフランジの両方の組み合わせであるのが良い。リム１２６は、ケーシング１２１の周りに連続しまたは不連続である多くのセグメントを有するのが良い。リム１２６は、互いに平行な２つの全体としてまっすぐなセグメントを有するのが良く、一方が図１７〜図１９に１２６Ａとして示されている。セグメント１２６Ａを並進継手部材（滑り継手部材、スライダなどとも呼ばれる）として説明することができ、というのは、これらセグメントは、カセット２０と器具１１０との並進／滑り継手の一部として使用できるからである。リム１２６は、肩、フランジ、リップ、ストリップなどとも呼ばれる場合がある。
【００７３】
図１６〜図１９を参照すると、カセット１２０は、ケーシング１２１の端部のところにヘッド１２７を有するのが良い。ヘッド１２７は、プレート１２２および／またはカバー１２３によって構成されるのが良く、ただし、このヘッドは、図示の実施形態では、大部分がカバー１２３の一部として示されている。ヘッド１２７は、カバー１２３よりも断面寸法が大きいのが良い。図示の実施形態では、ヘッド１２７は、逆Ｕ字形の輪郭を有し、ただし、他の形状が考慮される。
【００７４】
カセット１２０を説明したからには、カセット１２０からのフィルムの展開について説明する。カセット１２０がドア１２３Ｃまたは図１７の場合のように開口部１２３Ｅを覆う包装材または同様なメンブレン付きで売られている場合、ドア１２３Ｃ、包装材またはメンブレンを図１８に示されている仕方で引き剥がしてカセット１２０の内部、特にロール１２５を露出させる。ロール１２５の自由端部をドア１２３Ｃ、包装材、またはメンブレンにつなげる（例えば、テープ止めする）のが良く、その結果、ロール１２５の自由端部が引っ張られるようになっている。次に、ロール１２５の自由端部を図１９に示されている仕方で開口部１２３Ｅに通してケーシング１２１から出すのが良く、その結果、フィルムをケーシング１２１から引き出すことができる一方で、ロール１２５の残部はケーシング１２１内に位置したままである。ロール１２５上のフィルムの端に達すると、シャフト１２４は、フィルムの巻き付けによっては一部品の状態ではもはや保持されず、それにより、シャフト１２４は、インターフェース部材１２４Ｂのところでその２つの部分に分かれることができる。ロール１２５上のフィルムの端がシャフトに取り付けられた場合（例えば、上述したような接着剤により）、フィルムに加わる引っ張り力は、２つの部分へのシャフト１２４の分離を助けることができ、ただし、重力がシャフト１２４をその２つの部分に分割させる上で十分な場合がある。別の実施形態では、シャフト１２４は、単一部品で作られるが、押し潰し可能な材料（例えば、厚紙シャフトまたはコア）で作られる。かかる場合、シャフト１２４に取り付けられたフィルムに加わる上向きの引っ張り力の結果として、シャフト１２４が潰れることができる。シャフト１２４のその２つの部分への分離の際またはシャフト１２４の潰れの際、シャフト１２４を一因とするブレースが壊され、それによりカセット１２０は、ある程度の構造的健全性を失うとともに曲げ剛性を失う。
【００７５】
図１５を参照すると、容器１３０は、底部分１３１および上部分１３２を有するのが良く、これら部分は、容器１３０の内部への接近を可能にするよう分離可能であっても良くまたはそうでなくても良い。底部分１３１は、器具１０が用いられているときに地面または床上に着座する。底部分１３１は、容器１３０内における袋のための案内として役に立つことができる両端が開口したバスケット１３１Ａを有するのが良い。開口部１３１Ｂがカセット１２０を容器１３０の中に挿入するために底部分１３１の外面に設けられるのが良い。開口部１３１Ｂの上側部分は、その結果、図１５、図２０および図２１の場合のように器具１１０内におけるカセット１２０の組立体の相補形状の連続仕上げのためにカセット１２０のヘッド１２７の形状と相補する形状を有するのが良い。作動機構体１５０のペダルもまた、開口部１３１Ｂから突き出るのが良い。ペダルを回動可能に支持するため、底部分１３１は、考えられる一実施形態として滑り軸受として作用するピボット支持体１３１Ｃを有するのが良い。ピボット支持体１３１Ｃは、頂部開口部を有するとともにカセット１２０およびペダルを載せた状態で受け入れるマウント１３１Ｄの一部であるのが良い。底部分１３１Ａの種々のコンポーネントは、一体成形された単一の部品にされても良く、あるいは多数の部品で構成されても良い。
【００７６】
容器１３０はまた、単一の管状ユニットであっても良いが、他の構成例、例えばファブリックの管もしくはスリーブまたは構造ビームを覆うパネル用材が想定される。開口部１３３が容器１３０の頂部のところに設けられている。開口部１３３は、袋の廃棄物の処分のために容器１３０の内部への接近を可能にする。
【００７７】
上側環状カラー１３４が開口部１３３を境界付け、かかる上側環状カバーは、蓋組立体１４０と容器１３０との間のインターフェースであるのが良い。上側環状カラー１３４は、Ｕ字形断面を備えたスカート１３４Ａの頂部のところに位置するのが良く、スカート１３４Ａは、下方に配向された環状空所を画定している。袋フック１３５が開口部１３３の付近に設けられるのが良く、かかる袋フックは、カセット１２０により小出しされる袋のための取り付け部としての役目を果たす。袋フック１３５のうちの４つが容器１３０内に存在する（２つが見える）が、これよりも多いまたは少ない袋フックが設けられても良い。４つの袋フック１３５は、開口部１３３のコーナー部のところに位置するのが良く、この開口部は、角丸四角形または楕円形の形をしている。開口部１３３が丸形の場合、袋フック１３５は、多くの他の実施例のうちで０／９０／１８０／２７０°または０／１２０／２４０°のところに分布して配置されるのが良い。一例として、２つの半径方向反対側の細長い袋フック１３５が設けられるのが良い。袋フックの代替手段として、容器１３０は、バッグの取り付けのためにそのカラー１３４を利用するのが良く、袋の頂部は、カラー１３４上に折り返されて摩擦によって保持される。
【００７８】
ヒンジ式ドア支持体１３６が後述するようにドアをヒンジ式に支持するために開口部１３３に隣接してスカート１３４Ａ内に設けられるのが良く、ドアは、開口部１３３からの容器１３０の内部への出入り口を閉じまたは開く一方で、悪臭を袋内に閉じ込めるために袋を封止する。ヒンジ式蓋支持体１３６は、ピボットおよび／またはピボット穴を有するのが良い。
【００７９】
ヒンジ式蓋支持体１３７が蓋組立体１４０を回転可能に支持するとともに開口部１３３からの容器１３０の内部への出入り口を閉じまたは開くために容器１３０の外面に隣接して上部分１３２内に設けられるのが良い。また、蓋組立体１４０の回動により、器具１１０の種々のコンポーネントを露出させることができる。ヒンジ式蓋支持体１３７は、ピボットおよび／またはピボット穴を有するのが良い。
【００８０】
保持フィンガ１３８が図１５の閉鎖部分内に蓋組立体１４０を解除可能に保持するためにヒンジ式蓋支持体１３７と反対側の上部分１３２の側部に設けられるのが良い。保持フィンガ１３８は、弾性変形による付勢作用によってヒンジ式蓋支持体１３７を保持する片持ち形式のものであるのが良い。
【００８１】
案内アーム１３９が容器１３０の上部分１３２から容器１３０の内側空所中に突き出るよう設けられるのが良く、この案内アームは、以下に説明するように作動機構体１５０のコンポーネントを摺動的に支持することができる。
【００８２】
図１５および図２０を参照すると、蓋組立体１４０は、環状基部１４１を有する。環状基部１４１の幾何学的形状は、上側環状カラー１３４を含め容器１３０の上部分１３２の上端部の幾何学的形状と相補している。したがって、蓋組立体１４０の環状基部１４１は、容器１３０の上端部上に載せられる。環状基部１４１は、その下方に開いた環状空所内でカラー１３４を隠すとともに覆うよう図１５の場合と同様、スカート状本体を有するのが良い。図示の実施形態では、環状基部１４１は、例えば図１５の閉じ配向状態から図２０の開き配向状態に回動するようヒンジ式蓋支持体１３７に連結されている。環状基部１４１は、相補形状のヒンジ継手コンポーネント１４１Ａ、例えばピボット穴、ピボットなどを有する。保持フィンガ１３８は、タブ１４１Ｂと協働して環状基部１４１を図１５の閉鎖配向状態に保つ。戻り止めが保持フィンガ１３８とタブ１４１Ｂの相互連結を解除するよう設けられるのが良い。変形例として、環状基部１４１に対する引っ張りにより、保持フィンガ１３８とタブ１４１Ｂとの係合を解除する変形を生じさせても良い。他の相互連結手段、例えば圧力嵌め、連結迅速システム、螺合方式などが想定される。環状基部１４１を例えば、袋をカラー１３４に取り付けまたはこれから取り外すよう図２０の開き配向状態に回動させることができる。
【００８３】
蓋１４２がヒンジ１４３によって環状基部１４１に回動可能に連結されている。したがって、蓋１４２は、図２２および図２３に示されているような開き位置と図１５に示されているような閉じ位置との間で回動することができる。閉じ位置では、蓋１４２は、開口部１３３を遮蔽する。開き位置では、開口部１３３が露出され、それによりユーザは、廃棄物を基部１１０内の袋の中に投げ込むことができる。
【００８４】
図１５および図２０〜図２３を参照すると、作動機構体１５０は、ユーザによってペダル１５１とインターフェースされたリンク装置（すなわち、リンクおよび継手）から成る。ペダル１５１は、容器１３０の底部分１３１に回動可能に連結されている。ペダル１５１の前側部分は、容器１３０の前側から外方に突き出ていて、地面の近くに位置し、それにより、ユーザは、ペダル１５１の露出部分を単に押すだけで器具１１０の蓋１４２を開くことができる。器具１１０は、ハンドレバーなどのような別のインターフェースを備えても良い。一実施形態によれば、ペダル１５１とカセット１２０との間には特定の相互作用が存在するのが良く、これについては図２４を参照して以下にさらに詳細に説明する。
【００８５】
第１のリンク１５２が容器１３０の内側でペダル１５１の後側部分に連結されている。第１のリンク１５２は、容器１３０に設けられた構造コンポーネント、例えば底部分１３１および上部分１３２に設けられた開口部に連結されるのが良く、それにより並進運動（すなわち上下運動）に制限される。したがって、図２２および図２３に示されているようにペダル１５１の前側部分を下方に押すことによって、第１のリンク１５２は、上方に動く。次に、ペダル１５１を解除すると、第１のリンク１５２は、例えば重力により下方に動くことができる。
【００８６】
依然として図１５および図２０〜図２３を参照すると、第１のリンク１５２は、蓋押圧端部１５２Ａを有する。蓋押圧端部１５２Ａは、ヒンジ１３２に隣接したところで蓋１４２が接触する。したがって、第１のリンク１５２の上方運動の結果として、蓋１４２に対する端部１５２Ａの押圧作用によって蓋１４２が開く。同様に、第１のリンク１５２の下方運動により、蓋１４２が端部１５２Ａの引っ込み運動によって閉じ位置に向かって動く。
【００８７】
ペダル１５１の運動を蓋１４２に伝達することに加えて、作動機構体１５０はまた、ドア１５３が蓋を閉じ状態に封止するよう助けることが可能である。ドア１５３は、相補形状のピボット継手コンポーネント（例えば、ピボットおよび／またはピボット穴）によってヒンジ式ドア支持体１３６に回動可能に取り付けられている。図示していないが、ドア１５３を図１５の通常は閉じられた位置に保持するよう付勢部材が設けられるのが良い。ドア１５３は、互いに接触するよう寸法決めされ、それにより、開口部を通った袋（例えば、カラー１３４に取り付けられている）を閉鎖する。ドア１５３は、各々、これらに一体的に連結されまたは剛結された１本のアーム１５３Ａまたは複数のアーム１５３Ａを有するのが良く、その結果、アーム１５３Ａは、ドア１５３と同時に動くようになっている。アーム１５３Ａは、スカート１３４Ａの環状空所内に隠されるよう図の弧形状を有するのが良い。
【００８８】
第２のリンク１５４が例えばフォーク１５４Ａおよびピボットによって容器１３０内でペダル１５１の前側部分に連結されている。第２のリンク１５４は、容器１３０内の構造コンポーネント、例えば第２のリンク１５４の頂部のところに設けられたスロット１５４Ｂ内に受け入れられた上部分１３２内の案内アーム１３９に作動的に連結されるのが良く、それにより並進運動（すなわち、上下）に制限されるようになっている。したがって、図２２および図２３に示されているようにペダル１５１の前側部分を下方に押すことによって、第２のリンク１５４は、下方に引き下げられる。次に、ペダル１５１を解除すると、蓋１４２が第１のリンク１５２に加わる反力を生じさせるので、第２のリンク１５４は、例えば重力により上方に動く。
【００８９】
依然として、図１５および図２０〜図２３を参照すると、第２のリンク１５４は、ドア押圧端部１５４Ｃを有する。ドア押圧端部１５４Ｃは、所与の環境においてアーム１５３に接触することができる。特に、図１５の場合のようにペダル１５１を押さない場合、ドア押圧端部１５４Ｃは、アーム１５３Ａに接触してドア１５３がこれらドア相互間に袋を閉鎖状態に閉じた状態で互いに圧接され、その結果、悪臭が袋から出るのを阻止することができるようにする。ペダル１５１が図２２および図２３の場合のように下方に押されると、ドア押圧端部１５４Ｃが下げられてドア１５３の運動を阻止しないようになっている。上述したように、ペダル１５１を押し下げると、蓋１４２が持ち上げられ、それにより開口部１３３およびドア１５３が露出される。ユーザは、その結果、物体を投げ捨てることができる。物体の重量は、ばねまたは同様な付勢機構体の付勢作用よりも大きいのが良く、それにより、ドア１５３は、物体を通すよう一時的に開く。物体がドア１５３をいったん越えて袋の中に入ると、ドア１５３は、閉じ位置に戻り、そしてドア相互間で袋を締め付ける。したがって、ペダル１５１を下げると、ドア押圧端部１５４Ｃは、アーム１５３Ａの邪魔にならずまたはドア１５３の動きを妨害しない。ペダル１５１を解除すると、第２のリンク１５４は、上方に動き、その結果、ドア押圧端部１５４Ｃは、圧力をドア１５３に及ぼしてこれらドアが図１５に示された仕方でドア１５３Ａに押し付けられるようになる。
【００９０】
図２１を参照すると、例えば新品カセット１２０が器具１１０内に挿入されたときにユーザにより場合によっては採用されるドア制止構成例が示されている。かかる構成例では、ペダル１５１が下方に押され、その結果、蓋１４２がその開きまたは上昇配向状態になる。ペダル１５１が下方に押されると、ドア押圧端部１５４Ｃが上記において詳細に説明したように下げられる。ユーザは、ドア１５３を図２１の仕方で内方に押すことができる。このようにする際、アーム１５３Ａは、ドア押圧端部１５４Ｃによってスナップ嵌合することになり、そして図１５の閉じ位置に戻るのが阻止される。ドア１５３が開き状態に保持されているので、ユーザは、開口部１３３を経て容器１３０の内部に到達することができ、それにより袋ロール１２５の自由端をカセット１２０から上方に引き出して、袋が開いた状態でこの自由端部をフック１３５に取り付けることができる。いったんそのようになると、ペダル１５１に加わっている圧力を除くと、その結果として、環状ベース１４１および蓋１４２が下降することになる。第２のリンク１５４が上方に動き、それによりドア押圧端部１５４Ｃがもはやアーム１５３Ａを妨害しないようになる。ドア１５３は、袋がドア相互間に締め付けられた状態で図１５のこれらの閉じ位置に戻ることができる。
【００９１】
袋が一杯になって交換が必要とされる場合、ペダル１５１を押さないで蓋組立体４０全体を図２０の場合のように遠くへ回動させる。これにより、フック１３５に取り付けられている袋の頂端部が露出する。袋の頂端部をフック１３５から取り外し、そして上方に引き上げるのが良い。図２０に示されているように、ドア１５３に対する唯一の拘束は、付勢作用である。したがって、袋に加わる良好な上向きの引っ張り力により、ドア１５３は、図２０の場合のように上方に回動する。したがって、袋を上方引っ張り力によって容器１３０から取り外すことができる。袋は、ロール１２５の一部なので、次の袋をカラー１３４の高さ位置まで同時に引き上げる。一杯になった状態の袋をロール１２５からいったん取り外すと、ロール１２５中の次の空の袋をカラー１３４に取り付けるのが良い。
【００９２】
図２４〜図２８を参照すると、器具１１０の一部であっても良くまたはそうでなくても良いペダル１５１の実施形態が示されている。ペダル１５１は、ピボット５１０および図２２および図２３の底部分１３１の支持体とは似ていない場合のある支持体に取り付けられた状態で示されている。ピボット５１０および支持体は、ペダル１５１の構造に関し、図１０〜図１４に焦点を合わせるよう単純化されている。
【００９３】
ペダル１５１は、前側ペダル部材５１１および後側ペダル部材５１２を有する。前側ペダル部材５１１は、足によって押されるよう容器１３０から突き出たペダル１５１の部分である。後側ペダル部材５１２は、容器１３０の内側に隠されており、この後側ペダル部材は、ペダル１５１の運動を上述したように蓋１４２に伝達するよう第１のリンク１５２に連結されている。前側ペダル部材５１１および後側ペダル部材５１２は、ピボット５１０に別個独立に連結されている。したがって、図２５に示されているように、前側ペダル部材５１１に加わる圧力の結果として、前側ペダル部材５１１だけが回転し、他方、後側ペダル部材５１２は、動かない。
【００９４】
前側ペダル部材５１１および後側ペダル部材５１２は、一緒になって、カセット受け入れ面５１３を形成する。カセット受け入れ面５１３は、カセット１２０の底面の関数として形作られるのが良い。図示の実施形態では、カセット受け入れ面５１３は、全体として平面状であるが、レール、チャネルなどがカセット１２０の底面上に設けられても良く、これらは、相補形状になっている。ブラケット５１４は、カセット受け入れ面５１３から上方に突き出ており、これらブラケットは、逆Ｌ字形を有するのが良い。ブラケット５１４は、カセット１２０のための案内路を形成するよう互いに距離を置いて配置されている。特に、ブラケット５１４は、カセットのリム１２６の幾つかの部分を受け入れることができる（図１７）。一実施形態では、リム１２６は、ブラケット５１４内に受け入れ可能な１対のまっすぐで互いに平行なセグメントを有する。したがって、カセット１２０を摺動させてこれがペダル１５１に係合することができるようにする。一実施形態では、カセット１２０は、カセット受け入れ面５１３に当てて配置されるその底面を有し、リム１２６のまっすぐなセグメントは、先導するブラケット５１４Ａ中に挿入され、かかる先導ブラケットは、後側ペダル部材５１２に向かってテーパした大きな入口高さを有しても良くまたはそうでなくても良い。後側ペダル部材５１２の先導ブラケット５１４Ａはまた、かかる形状を有することができる。図２４〜図２８では、先導ブラケット５１４Ａは、次にテーパを有する大きな入口高さを有する。したがって、滑り継手（並進継手とも呼ばれる）がカセット１２０とペダル１５１との間に設けられている。滑り継手は、必要ではないが、一実施形態では、カセット２０は、適当なコネクタ、クランプによってペダル１５１に剛結される。例えば、カセット１２０を前側ペダル部材５１１および後側ペダル部材５１２にボルト止めし、クランプし、締結するのが良く、その結果、剛性の組立体が形成されるようになっている。図２２および図２３に示されているように、カセット１２０とペダル１５１との連結部は、前側ペダル部材５１１と後側ペダル部材５１２の両方が同時に回動するようなものである。当接部５１５がペダル１５１上のカセット２０の位置を定めるよう後側ペダル部材５１２に設けられるのが良い。当接部５１５は、後側ペダル部材５１２上に位置するとともに図示のようにばねを有するのが良く、あるいは、もし設けられている場合には前側ペダル部材５１１上に設けられるのが良い。カセット２０のヘッド１２７もまた、あるいは変形例として、カセット２０の内方運動を制限するのが良い。片持ち舌部５１６もまた、カセット１２０をペダル１５１上に係止させるよう前側ペダル部材５１１から上方に突き出るのが良い。片持ち舌部５１６は、カセット１２０を取り外すよう弾性変形可能である。
【００９５】
かくして、カセット１２０が図２７に示された仕方でペダル１５１上に位置すると、前側ペダル部材５１１と後側ペダル部材５１２は、同時に動く。ペダル１５１は、前側ペダル部材５１１および後側ペダル部材５１２が一緒に動くようにするためにカセット１２０のブレーシングを利用する。しかしながら、シャフトがフィルム切れをしたときにシャフト１２４が上述したように分かれまたは潰れると、カセット１２０は、その構造的力を失って曲がる場合がある。これは、図２８に示されており、カセットの開口部１２３Ｅが前側ペダル部材５１１と後側ペダル部材５１２との間の分離部にオーバーラップすることが観察される。カセット１２０の脆弱な部分が分離部上に位置すると、カセット１２０は、前側ペダル部材５１１を回動させたときに曲がる。その結果、ユーザによるペダル作動にもかかわらず、蓋１４２は動かない。これにより、器具１５０内のカセット１２０がフィルム／袋切れを起こしたときにユーザがカセット１２０を交換すべきことが分かる。ユーザは、舌部５１６を押して空のカセット１２０を引き出すのが良い。次に、新品カセット１２０を上述したシーケンスに従って挿入するのが良い。
【００９６】
他の実施形態としては、ドア１５３に関して異なる形状が採用されること、ドア１５３のうちの単一の１つが動くことができること、単一のドア１５３が設けられること、ロール１２５の管状フィルムについてＥＶＯＨを用いること、器具１１０がカセット１２０なしでこれに代えて一体形袋を備えて用いられること、カセット１２０の一部をなしていない袋ロールを備えた器具１１０が用いられること、別の形式の器具１１０、例えばドアが設けられておらず、しかも作動機構体１５０が設けられていないバケツ内にカセットが用いられることが挙げられる。
【図１】
2022501288.tif 000003
【図２】
2022501288.tif 000004
【図３】
2022501288.tif 000005
【図４】
2022501288.tif 000006
【図５】
2022501288.tif 000007
【図６】
2022501288.tif 000008
【図７】
2022501288.tif 000009
【図８Ａ】
2022501288.tif 000010
【図８Ｂ】
2022501288.tif 000011
【図９】
2022501288.tif 000012
【図１０】
2022501288.tif 000013
【図１１】
2022501288.tif 000014
【図１２】
2022501288.tif 000015
【図１３】
2022501288.tif 000016
【図１４】
2022501288.tif 000017
【図１５】
2022501288.tif 000018
【図１６】
2022501288.tif 000019
【図１７】
2022501288.tif 000020
【図１８】
2022501288.tif 000021
【図１９】
2022501288.tif 000022
【図２０】
2022501288.tif 000023
【図２１】
2022501288.tif 000024
【図２２】
2022501288.tif 000025
【図２３】
2022501288.tif 000026
【図２４】
2022501288.tif 000027
【図２５】
2022501288.tif 000028
【図２６】
2022501288.tif 000029
【図２７】
2022501288.tif 000030
【図２８】
2022501288.tif 000031
【国際調査報告】
2022501288.tif 000032
2022501288.tif 000033
2022501288.tif 000034